(57)【要約】【課題】島中タンク等の重量に耐えることができる腰板部の取り付け構造を開発し、幅の狭い遊技機島を提供する。【解決手段】遊技機島１は、骨格部材２００に腰板（腰板部）１６等の板状部材を組み付けて形成されている。骨格部材２００は、枠状部材２０１を平行に並べて作られたものである。枠状部材２０１は、二本の支柱部材１０３が３本の横桟で結合されたものである。支柱部材１０３は、角管状部材１４７に腰板載置台２０６と、幅木取り付け具２０７が取り付けられたものである。腰板載置台２０６は、載置部（突出部）２１７を有している。腰板１６はその下端が、枠状部材２０１の腰板載置台２０６の載置部（突出部）２１７に載置されている。【選択図】図８
2015208490.tif 000002
【特許請求の範囲】
【請求項１】
複数の支柱部材が直線上に並べて設置され、当該支柱部材に他の部材が取り付けられて建屋の床面から立設する壁面が形成され、当該壁面に複数の遊技機が設置されて成る遊技機島において、
前記壁面は、略垂直姿勢に設置された遊技機取付部と、遊技機取付部よりも下に形成され略垂直姿勢に設置された腰板部を有し、
支柱部材には腰板部の下部を支持する突出部が設けられ、腰板部は突出部に載置されていることを特徴とする遊技機島。
【請求項２】
支柱部材を挟んで両側に腰板部があり、支柱部材には２方向に突出部が設けられていて両側の腰板部が載置されていることを特徴とする請求項１に記載の遊技機島。
【請求項３】
前記遊技機で用いる遊技媒体を搬送するための搬送経路及び／又は前記遊技媒体を貯留するための貯留部を有し、前記搬送経路及び／又は前記貯留部が腰板部で支持されることを特徴とする請求項１又は２に記載の遊技機島。
【請求項４】
前記遊技機で用いる遊技媒体を貯留するための貯留部を有し、腰板部の一部が貯留部の一部を兼ねることを特徴とする請求項１乃至３のいずれかに記載の遊技機島。
【請求項５】
遊技機島は、対向する二つの壁面を有し、当該二つの壁面にそれぞれ遊技機取付部があり、
一方の壁面を支持する一つの支柱部材と、他方の壁面を支持する他の一つの支柱部材が一定の間隔を開けて接合されて枠状部材を構成し、当該枠状部材が平行に複数設置されることによって複数の支柱部材が直線上に並べて設置されていることを特徴とする請求項１乃至４のいずれかに記載の遊技機島。
【発明の詳細な説明】
【技術分野】
【０００１】
本発明は、ぱちんこ機やスロット機といった遊技機を設置するための遊技機島に関するものである。
【背景技術】
【０００２】
ぱちんこ機やスロット機等の遊技機が設置される遊技場では、一般的に、遊技機島と称される構造物が設けられている。そしてこの遊技機島には、遊技機が複数設置されると共に、設置された遊技機への遊技媒体の供給や、遊技機からの遊技媒体の回収を可能とするための各種装置が内蔵されている。
【０００３】
このような遊技機島として、例えば、特許文献１に開示された遊技機島がある。この遊技機島では、複数のぱちんこ機が並列配置されており、その内部に遊技球を循環させるための経路が設けられている。
具体的には、ぱちんこ機よりも高位置に、島上タンクと、ぱちんこ機に遊技球を供給するための上側搬送路が配されている。また、ぱちんこ機よりも低位置に、島中タンクと、ぱちんこ機から排出された遊技球を回収するための下側搬送路と、遊技球を研磨するための研磨装置と、遊技球を上方へと搬送するための揚送装置が配されている。そして、島上タンクと揚送装置の間と、上側搬送路と島中タンクの間には、縦方向に延びる縦搬送路が設けられている。
【０００４】
すなわち、島上タンクに貯留された遊技球は、上側搬送路を経て各ぱちんこ機に供給される。ぱちんこ機から排出された遊技球は、下側搬送路を介して研磨装置へと導入されて研磨され、その後、揚送装置に導入されて上方へ揚送される。そして、上方へ揚送された遊技球は、島上タンクに導入されることとなる。このように、遊技機島の内部には、遊技機を経て遊技球が循環するための経路が形成されている。
【０００５】
その一方、島上タンク内部の遊技球が一定以上になれば、過剰分の遊技球が上側搬送路（又はこれに沿って延びる搬送路）を介して縦搬送路へと至り、縦搬送路を介して島中タンクの内部に導入される構造となっている。
つまり、遊技機島では、遊技球を一時的に貯留可能な貯留部として機能する島中タンクを内蔵させることにより、上記した経路を流れる遊技球の量を調整可能となっている。
【０００６】
ぱちんこ機を設置する遊技機島は、木材や鋼材で骨格が作られ、この骨格に合板等が取り付けられて作られている。遊技機島は、合板等によって対向する二つの壁面が作られ、この二つの壁面にそれぞれ遊技機が取り付けられたものが多い。
そのため前記した壁面には、それぞれ略垂直姿勢の遊技機取付部がある。また遊技機取付部よりも下には略垂直姿勢に設置された腰板部がある。さらに両者の間に膳板が設けられている。
遊技機取付部は、遊技者が着座した状態で顔の正面となる高さにある。一方、腰板部は、遊技者が着座した状態では遊技者の腰から足元にかけての高さにある。
【０００７】
前記した様に、遊技機島は、対向する二つの壁面で囲まれており、両壁面の間の空間に、前記した下側搬送路と、研磨装置及び島中タンクが配置されている。
従来技術においては、遊技機島の外壁たる前記二つの壁面と、下側搬送路や島中タンクは独立している。すなわち島中タンクは独自の台座を有し、当該台座上に載置された状態で前記した二つの壁面の間の空間に設置されていた。
【０００８】
従来技術においては、前記した壁面の一部たる腰板部は、遊技機島内の島中タンク等が見えないようにするための単なる目隠しに過ぎず、正面側や側面側が木材や鋼材で骨格に単にクギ止めまたはネジ止めされて取り付けられていた。
【先行技術文献】
【特許文献】
【０００９】
【特許文献１】特開２０１３−１３２４６９号公報
【発明の概要】
【発明が解決しようとする課題】
【００１０】
ところでぱちんこホール等の経営者は、建屋内に少しでも数多くの遊技機を設置することを希望する。そのためには遊技機島の幅は狭いことが望ましい。
そこで本発明者らは、島中タンクを腰板部で支持したり、腰板部の一部と島中タンクの部材とを共用する構造を考えた。また下側搬送路を腰板部で支持する構造を考えた。
しかしながら島中タンクは、数万発の遊技球が収容されるものであり、相当に重い。そのため従来技術の構造では、腰板部が島中タンクの重量に耐えられず、木材や鋼材の骨格から外れてしまう。
すなわち従来技術の遊技機島の構造においては、腰板部は遊技機島内の島中タンク等が見えないようにするための目隠しに過ぎず、腰板部は正面側や側面側が骨格にクギ止めまたはネジ止めされただけで取り付けられている。そのため腰板部の取り付け強度は、クギ等の剪断力と、クギ等が挿通された腰板部の穴の強度に依存している。
すなわち島中タンク等から受ける垂直荷重は、クギ等が挿通された腰板部の穴を介して骨格に伝えられるが、従来技術によると、受圧面積が極めて小さく、島中タンク等の重量に耐えることができない。
【００１１】
また下側搬送路は、島中タンク程には重くはないが、相当の重量があり、腰板部はその重量に耐えられず、木材や鋼材の骨格から外れてしまう。
【００１２】
そこで本発明は、従来技術の上記した問題点に注目し、島中タンク等の重量に耐えることができる腰板部の取り付け構造を開発し、幅の狭い遊技機島を提供することを課題とする。
【課題を解決するための手段】
【００１３】
上記課題を解決するための請求項１に記載の発明は、複数の支柱部材が直線上に並べて設置され、当該支柱部材に他の部材が取り付けられて建屋の床面から立設する壁面が形成され、当該壁面に複数の遊技機が設置されて成る遊技機島において、前記壁面は、略垂直姿勢に設置された遊技機取付部と、遊技機取付部よりも下に形成され略垂直姿勢に設置された腰板部を有し、支柱部材には腰板部の下部を支持する突出部が設けられ、腰板部は突出部に載置されていることを特徴とする遊技機島である。
【００１４】
本発明の遊技機島では、支柱部材に突出部が設けられ、突出部の上に腰板部が載置されている。そのため本発明によると、腰板部が島中タンク等から受ける垂直荷重を突出部で受けて支柱部材に伝えることができる。
本発明によると、腰板部の受圧面積が従来技術に比べて大きく、島中タンク等の重量に耐えることができる。
【００１５】
請求項２に記載の発明は、支柱部材を挟んで両側に腰板部があり、支柱部材には２方向に突出部が設けられていて両側の腰板部が載置されていることを特徴とする請求項１に記載の遊技機島である。
【００１６】
本発明によると、支柱部材を挟んで両側に設けられた腰板部を支持することができる。また支柱部材には左右均等に垂直荷重が掛かるので荷重のバランスが良く、支柱部材が座屈しにくい。
【００１７】
請求項３に記載の発明は、前記遊技機で用いる遊技媒体を搬送するための搬送経路及び／又は前記遊技媒体を貯留するための貯留部を有し、前記搬送経路及び／又は前記貯留部が腰板部で支持されることを特徴とする請求項１又は２に記載の遊技機島である。
【００１８】
本構成は、本発明の趣旨に沿った構造である。
【００１９】
請求項４に記載の発明は、前記遊技機で用いる遊技媒体を貯留するための貯留部を有し、腰板部の一部が貯留部の一部を兼ねることを特徴とする請求項１乃至３のいずれかに記載の遊技機島である。
【００２０】
本構成についても、本発明の趣旨に沿った構造である。
【００２１】
請求項５に記載の発明は、遊技機島は、対向する二つの壁面を有し、当該二つの壁面にそれぞれ遊技機取付部があり、一方の壁面を支持する一つの支柱部材と、他方の壁面を支持する他の一つの支柱部材が一定の間隔を開けて接合されて枠状部材を構成し、当該枠状部材が平行に複数設置されることによって複数の支柱部材が直線上に並べて設置されていることを特徴とする請求項１乃至４のいずれかに記載の遊技機島である。
【００２２】
本発明の遊技機島は、作りやすく、施工期間を短縮することができる。
【発明の効果】
【００２３】
本発明の遊技機島によると、遊技機島の周辺により広い空間を確保することが可能となり、遊技者に楽な姿勢で遊技するための広い専有スペースを提供することができる。
【図面の簡単な説明】
【００２４】
【図１】本発明の第１実施形態に係る遊技機島を示す斜視図である。
【図２】図１の遊技機島の内部構造を示す説明図である。
【図３】図１の遊技機島の一部を破断、透過して示す説明図である。
【図４】図３の貯留部を示す斜視図である。
【図５】図４の貯留部を示すＡ−Ａ断面図である。
【図６】図１の遊技機島を示すＢ−Ｂ断面図である。
【図７】図１の遊技機島の骨格部材及びこれに取り付けられる部材を示す図１の遊技機島の分解斜視図である。
【図８】図１の遊技機島の腰板部近傍を示す斜視図及び円内を正面から観察した拡大図である。
【図９】図１の遊技機島で採用する支柱部材の下部の斜視図である。
【図１０】図９の分解斜視図である。
【図１１】高さ調整機構の機能を示す説明図であり、（ａ）は枠状部材の高さを上げた状態を示し、（ｂ）は枠状部材の高さを下げた状態を示す。
【図１２】本発明の第２実施形態に係る遊技機島を示す一部破断斜視図である。
【図１３】図１２の遊技機島の腰板部の構造を示す説明図である。
【図１４】図１３で示される腰板部を別の方向からみた様子を示す説明図である。
【図１５】図１２の遊技機島の内部構造を示す説明図であり、アウトレール部を取り付けていない状態を示す。
【図１６】図１２の遊技機島の内部に取り付けられるアウトレール部を示す一部破断斜視図である。
【図１７】図１６のレール脚部を示す斜視図である。
【図１８】図１２の遊技機島の内部に取り付けられる底板形成部を示す斜視図である。
【図１９】図１２の遊技機島の腰板部近傍を示す斜視図である。
【図２０】内壁形成板に角支柱部材を取り付ける様子を示す説明図である。
【図２１】図１２の遊技機島の腰板部の分解斜視図である。
【図２２】遊技機島の組み立てにおいて、腰板用骨組体、内壁形成板、角支柱部材、底板形成部が一体に取り付けられた状態を示す断面図である。
【図２３】図２２で示される状態からアウトレール部を取り付けた状態を示す斜視図であり、腰板部の一部分を破断して示す。
【図２４】図２２で示される状態からアウトレール部を取り付けた状態を示す断面図である。
【図２５】支柱部材の変形例を示す突出部近傍の断面図である。
【図２６】支柱部材の他の変形例を示す突出部近傍の斜視図である。
【発明を実施するための形態】
【００２５】
以下、本発明の実施形態に係る遊技機島１について詳細に説明する。
第１実施形態の遊技機島１は、図１、図７に示されるように、骨格部材（図７）２００に天板１０、妻板１１（図１）、幕板１２、ランプ板１３、台間板１４、膳板１５、腰板（腰板部）１６、幅木１７等の外壁面を形成する板状部材を組み付けて形成されている。そして、その全体の外形が略直方体状となっている。
【００２６】
骨格部材２００は、図７の様に複数の枠状部材２０１を平行に並べて作られたものである。複数の枠状部材２０１は規格化されたものであり、すべて同一の形状及び寸法である。
すなわち枠状部材２０１は、二本の支柱部材１０３が３本の横桟２０２，２０３，２０５で結合されたものである。支柱部材１０３は規格化されたものであり、すべて同一の形状及び寸法である。
支柱部材１０３は、図９、図１０の様に角管状部材１４７を本体部とし、角管状部材１４７に腰板載置台２０６と、幅木取り付け具２０７が取り付けられたものである。
支柱部材１０３の角管状部材（本体部）１４７は、図７の様に上部直線部２１０と、下部直線部２１１があり、両者が膳板設置部２１２で接続されたものである。
すなわち角管状部材１４７の上部直線部２１０と下部直線部２１１は、長寸であり、同一方向ではあるが、やや食い違いの位置に配されている。膳板設置部２１２は、短寸であり、上部直線部２１０の下端から垂直方向に延びている。そして膳板設置部２１２の他端側から下部直線部２１１が垂直方向に延びている。
上部直線部２１０の自由端側には、天板保持部２１３が設けられている。
【００２７】
また下部直線部２１１の下端近傍に、図９、図１０の様に腰板載置台２０６と、幅木取り付け具２０７が取り付けられている。
腰板載置台２０６は、図１０の様に、断面が「コ」字状の接続部２１５と、接続部２１５の長手方向の端部に設けられた載置部２１７を有している。
接続部２１５は、奥壁２１８と、左右側壁２２０ａ，２２０ｂを有した溝型形状である。
【００２８】
載置部２１７は、前記した左右側壁２２０ａ，２２０ｂの長手方向端部が折り広げられたものであり、左右側壁２２０ａ，２２０ｂに対して直角方向に開いている。すなわち載置部２１７は、左載置片２２１ａと、右載置片２２１ｂによって構成されている。そして左載置片２２１ａは、左側壁２２０ａの端部にあって、右側壁２２０ｂから離れる方向に垂直に延びている。  右載置片２２１ｂは、右側壁２２０ｂの端部にあって、左側壁２２０ａから離れる方向に垂直に延びている。
左載置片２２１ａ及び右載置片２２１ｂの幅Ｗは、角管状部材（本体部）１４７の幅と略等しい。また左載置片２２１ａ及び右載置片２２１ｂの長さＬは、角管状部材（本体部）１４７の幅Ｑよりも長い。
【００２９】
幅木取り付け具２０７は、図１０の様に断面形状が略「ひ」字状をした金具であり、溝状部２２２とフランジ部２２３とを有している。
溝状部２２２は、奥壁２２４と、左右側壁２２５ａ，２２５ｂを有した溝型形状である。フランジ部２２３は、溝状部２２２の左右側壁２２５ａ，２２５ｂの自由端側が垂直方向に折り開かれたものである。すなわちフランジ部２２３は左フランジ片２２３ａと、右フランジ片２２３ｂによって構成されている。そして左フランジ片２２３ａは、左側壁２２５ａの自由端側が外側に向かって垂直に折り曲げられたものであり、右フランジ片２２３ｂは、右側壁２２５ｂの自由端側が外側に向かって垂直に折り曲げられたものである。
フランジ部２２３にはネジ孔２３０が複数設けられている。
【００３０】
幅木取り付け具２０７は、角管状部材１４７の下部直線部２１１の下端近傍に溝状部２２２が嵌め込まれた状態で取り付けられている。
また腰板載置台２０６は、接続部２１５が、幅木取り付け具２０７の溝状部２２２に外側から嵌め込まれた状態で角管状部材１４７に取り付けられている。
幅木取り付け具２０７及び腰板載置台２０６は、公知の溶接技術や、ネジ、鋲等の締結手段によって角管状部材１４７に一体的に固定されている。
【００３１】
本実施形態では、２本の支柱部材１０３の角管状部材（本体部）１４７が同一平面上に配置され、両者の間に３本の横桟２０２，２０３，２０５が設けられて枠状部材２０１を構成している。
ここで２本の支柱部材１０３の角管状部材（本体部）１４７の向きは、図７、図８の様に、膳板設置部２１２が外側に突出する方向に配置されている。すなわち２本の角管状部材（本体部）１４７は、一定の距離を開いて背中合わせに配置され、３本の横桟２０２，２０３，２０５で接続されている。
【００３２】
３本の横桟２０２，２０３，２０５は、公知の溶接技術や、ネジ、鋲等の締結手段によって２本の支柱部材１０３に取り付けられている。
３本の横桟２０２，２０３，２０５の内、下部直線部２１１の自由端側に設けられた下部横桟２０５には、雌ねじ孔２３１が設けられている。
【００３３】
枠状部材２０１の形状を概観すると、２本の支柱部材１０３が平行に配され、各支柱部材１０３の下部近傍に、腰板載置台２０６と、幅木取り付け具２０７が取り付けられたものとなっている。
腰板載置台２０６の載置部（突出部）２１７は、２本の支柱部材１０３（角管状部材１４７）から側方に突出している。すなわち載置部２１７は、枠状部材２０１の２本の支柱部材１０３によって囲まれる平面に対して垂直方向に突出する部材である。また２本の支柱部材１０３を図７の様に垂直姿勢に保持するとともに、図７の様に複数の枠状部材２０１を平行に並べると、載置部２１７は、支柱部材１０３から水平方向に突出し、その先端は、隣接する枠状部材２０１の方向に延びる。
【００３４】
また幅木取り付け具２０７の、フランジ部２２３は、枠状部材２０１の外側に向かって開く。
【００３５】
本実施形態では、各枠状部材２０１は、補足部材２４０を介して建屋の床面２４１に取り付けられている。
補足部材２４０は、図９，図１０の様に、断面積が「Ｌ」字状の金具であり、床設置片２４２と、枠取り付け片２４３とを有している。床設置片２４２と枠取り付け片２４３とは垂直に交差する。
床設置片２４２にはアンカーボルト挿通孔２４５が設けられている。
また枠取り付け片２４３には、枠取付孔２４６が設けられている。枠取付孔２４６は長孔であり、枠取り付け片２４３を垂直姿勢に設置した状態では、天地方向に延びる。
【００３６】
補足部材２４０は、床面に設置された図示しないアンカーボルトがアンカーボルト挿通孔２４５に挿通され、図示しないナットが挿通されて建屋の床面２４１に取り付けられている。補足部材２４０は、床設置片２４２が建屋の床面２４１に接する状態となるので、枠取り付け片２４３は、図９の様に垂直姿勢となる。
【００３７】
そして枠取り付け片２４３を各枠状部材２０１の下部横桟２０５に接触させ、枠取り付け片２４３と下部横桟２０５との間にネジ２４７を挿通して各枠状部材２０１を補足部材２４０に固定する。すなわちネジ２４７を枠取付孔２４６に挿通させると共に先端を下部横桟２０５の雌ねじ孔２３１に係合させる。その結果、各枠状部材２０１は、補足部材２４０を介して建屋の床面に設置される。
ここで、本実施形態では、枠取り付け片２４３の枠取付孔２４６は長孔であり、且つ天地方向に延びるから、図１１の様に、各枠状部材２０１には上下方向に移動可能領域があり、各枠状部材２０１の高さを調節することができる。そのため各枠状部材２０１の高さを揃えることができる。この様に本実施形態では、補足部材２４０の枠取り付け片２４３に設けられた枠取付孔（長孔）２４６と、枠状部材２０１の下部横桟２０５に設けられた雌ねじ孔２３１と、ネジ２４７によって高さ調整機構２７０が構成されている。
【００３８】
例えば、枠状部材２０１のいずれか特定の部位を基準位置とし、この高さが揃う様に各枠状部材２０１を上下方向に調整してネジ２４７を締めつけることによって枠状部材２０１の高さを揃えることができる。
すなわち建屋の床面は、コンクリートやモルタルで覆われているが、これらは必ずしも平坦ではなく、凹凸がある。
そのため枠状部材２０１を床面に直接設置すると、各枠状部材２０１の高さが揃わず、遊技機等を真っ直ぐに並べることができない。
これに対して、本実施形態では、各枠状部材２０１に上下方向の移動可能領域が確保されているので、各枠状部材２０１の高さを調整し、揃えることができる。
【００３９】
例えば、枠状部材２０１の膳板設置部２１２の上面を基準位置とし、この基準位置の高さかが揃う様に枠取付孔２４６にネジ２４７を挿通する。
より具体的には、建屋内に、レーザ光線等の照射装置を設置し、照射装置を膳板設置部２１２が設置されるべき高さにおいて、水平方向にレーザ光線等を照射する。そして作業者は、レーザ光線の照射高さに基準位置が合致する様に枠取付孔２４６にネジ２４７を挿通し、ネジ２４７を締めつける。例えばレーザ光線等の照射位置に対して膳板設置部２１２が低い場合には、図１１（ａ）の様に枠取り付け片２４３の枠取付孔２４６の上部近傍にネジ２４７を挿通して下部横桟２０５の雌ねじ孔２３１に係合させる。その結果枠状部材２０１が全体的に上方に移動し、枠状部材２０１の高さが他の枠状部材２０１と揃う。      
【００４０】
逆に例えばレーザ光線等の照射位置に対して膳板設置部２１２が高い場合には、図１１（ｂ）の様に枠取り付け片２４３の枠取付孔２４６の中間部や下部近傍にネジ２４７を挿通して下部横桟２０５の雌ねじ孔２３１に係合させる。
その結果枠状部材２０１が全体的に下方に移動し、枠状部材２０１の高さが他の枠状部材２０１と揃う。
【００４１】
遊技機島１の骨格部材２００は、前記した枠状部材２０１が平行に多数並べて床面に固定されたものである。
【００４２】
前記した様に遊技機島１は、骨格部材２００に対し、天板１０、妻板１１、幕板１２、ランプ板１３、台間板１４、膳板１５、腰板（腰板部）１６、幅木１７等の外壁面を形成する板状部材を組み付けて形成されている。
【００４３】
そしてこの遊技機島１の長寸側の側面には、ぱちんこ機２０（遊技機）や球貸機２１を配するための遊技機取付部２２が設けられている。この遊技機取付部２２は、遊技機島１の高さ方向の略中央となる位置に形成され、遊技機島１の内外を連通している。すなわち遊技機取付部２２は図示しない棒材等によってぱちんこ機２０（遊技機）等をはめ込むための枠が作られた部位である。
この遊技機取付部２２には、ぱちんこ機２０と球貸機２１からなる組を遊技機島１の長手方向に沿うように並列配置している。つまり、ぱちんこ機２０と、これに対として設けられる球貸機２１を１組の機器群とすると、この機器群が遊技機島１の長手方向で並列するように取付けられている。
【００４４】
遊技機島１の天板１０は、遊技機島１の天井壁を形成する部材である。
【００４５】
遊技機島１の妻板１１は、遊技機島１の側壁のうち、遊技機島１の長手方向の両端部にそれぞれ位置する短寸の側壁（以下、短側壁とも称す）を形成する部材である。このため、妻板１１は、その厚さ方向が遊技機島１の長手方向と同一となっている。
【００４６】
遊技機島１の幕板１２は、遊技機島１の側壁のうち、遊技機島１の短手方向の両端部にそれぞれ位置する長寸の側壁（以下、長側壁とも称す）の一部を形成する部材である。この幕板１２は、天板１０の縁部分と連続しており、遊技機取付部２２の上側部分に位置している。すなわち、幕板１２は、遊技機取付部２２が設けられる長側壁の上端近傍を形成する部材である。
【００４７】
遊技機島１のランプ板１３は、上端からやや下方側に離れた部分を覆う略長方形平板状の部材であり、遊技機島１の長側壁の一部を形成している。ここで、ランプ板１３の上端部分は、幕板１２の下端部分と連続した状態となっている。つまり、ランプ板１３は、長側壁のうち、幕板１２の下方に位置する部分を形成している。
このランプ板１３には、遊技情報表示装置２５を取り付けるためのランプ取付部２６が設けられている。このランプ取付部２６は、複数設けられており、ランプ板１３の長手方向に沿って間隔を空けて並列した状態となっている。
【００４８】
遊技情報表示装置２５は、一般的に「データランプ」や「コールランプ」、「呼出ランプ」等と称される装置であり、下方に位置するぱちんこ機２０と対となっている。そして、遊技情報表示装置２５は、この対となるぱちんこ機２０の稼働状況に係る情報を表示可能な装置となっている。
【００４９】
台間板１４は、ぱちんこ機２０や球貸機２１と水平方向（遊技機島１の長手方向）で隣接する部分に配され、この部分を覆うことにより、遊技機島１の長側壁の一部を形成する部材である。つまり、台間板１４は、遊技機島１の高さ方向の略中央となる位置において、ぱちんこ機２０又は球貸機２１が配置されていない部分を覆っている。
【００５０】
膳板１５は、平面視した形状が略四角形状となる平板状の部材であり、遊技機取付部２２の下方部分から外側へ張り出した状態となっている。より詳細には、膳板１５は、遊技客の着座側（図１において椅子のある側）へ突出しつつ、遊技機島１の長手方向に沿って延設されるものであり、遊技機島１の長手方向の一端部から他端部まで延びている。この膳板１５は、大別して遊技機島１の内部側に位置する部分と、遊技機島１の外部に露出した部分とに区分されるものである。そして、内部側に位置する部分は、ぱちんこ機２０を載置するための土台として機能し、外部側に位置する部分は、遊技球（遊技媒体）を収容する収容箱（図示せず）等を載置するための載置棚として機能する。
【００５１】
腰板（腰板部）１６は、ぱちんこ機２０の設置位置よりも低い部分を覆う部材であり、遊技機島１の長側壁の一部を形成している。より詳細には、この腰板１６は、膳板１５よりも下方であり、幅木１７よりも上側の部分に位置しており、長側壁の下方側部分の大半を形成している。
なお、この腰板１６の一部は、後述する様に貯留部３７の側壁として機能する部分となっている。
【００５２】
本実施形態で採用する腰板１６は、隣接する枠状部材２０１の支柱部材１０３の間に一枚づつ設置されて腰板部２５０を構成するものである。
本実施形態では、腰板部２５０の腰板１６は、従来技術と同様にネジやクギ等によって枠状部材２０１に固定されている。より具体的には、支柱部材１０３の腰板固定部たる下部直線部２１１に腰板１６が取り付けられている。
またそれに加えて本実施形態では、腰板１６はその下端が、図８の様に、枠状部材２０１の腰板載置台２０６の載置部（突出部）２１７に載置されている。
すなわち本実施形態では、支柱部材１０３から載置部２１７が水平方向に突出している。そして骨格部材２００は、枠状部材２０１が平行に並べて設置されたものであるから、隣接する二つの枠状部材２０１の載置部（突出部）２１７は、互いに対向する方向に突出している。
そのため本実施形態では、一枚の腰板１６の下辺の両端側が、支柱部材１０３から水平方向に突出する載置部２１７に載置される。
後述する様に本実施形態では、腰板１６の一部が貯留部３７の側壁として機能するが、腰板１６の下辺の両端側が、載置部２１７に載置されているから、腰板１６に掛かる荷重に耐えることができる。
【００５３】
幅木１７は、腰板１６のより低い位置の側壁を形成する長尺板状の部材である。すなわち幅木１７は、遊技機島１の長側壁のうちで、下端近傍を形成する部材である。この幅木１７は、壁材を保護するための部材であり、遊技機島１の床に接する部分に設けることで、壁材に遊技客の靴等が直接接触し難い構造としている。このことにより、靴先等の接触に起因する壁材の破損を防止している。
本実施形態では、幅木１７は、幅木取り付け具２０７のフランジ部２２３に図示しないネジによって取り付けられている。
【００５４】
続いて、遊技機島１の内部構造について説明する。
【００５５】
遊技機島１の内部には、図２で示されるように、島上タンク３２、補給レール３３、オーバーフローレール３４、球抜きホース３５、オーバーフローホース３６、貯留部３７、アウトレール３８、研磨装置３９（搬送用設備）、揚送装置４０がそれぞれ設けられている。
【００５６】
このうち、島上タンク３２と貯留部３７は、遊技機島１の内部で循環する遊技球を一時的に貯留可能となっている。また、補給レール３３、オーバーフローレール３４、球抜きホース３５、オーバーフローホース３６、アウトレール３８はそれぞれ所定の方向へ向かって遊技球を搬送するための搬送経路を形成している。
【００５７】
島上タンク３２は、遊技機島１の長手方向の中心近傍であって、ぱちんこ機２０よりも上側に取り付けられた部材であり、揚送装置４０から揚送された遊技球を一時的に貯留する貯留手段として機能する。
島上タンク３２に貯留した遊技球をぱちんこ機２０に送り出す際には、補給レール３３を介してぱちんこ機２０に遊技球が供給される。また島上タンク３２の内部の遊技球が一定量以上となった場合には、主にオーバーフローレール３４を介して遊技球が外部に排出される。
【００５８】
補給レール３３は、各ぱちんこ機２０に向かって遊技球を搬送する経路を形成するための部材であり、島上タンク３２が位置する部分から遊技機島１の長手方向の端部に向かって下り勾配となるように設けられている。
【００５９】
また、この補給レール３３には、延び方向の中途部分に補給シュート（図示しない）が設けられている。この補給シュートは、補給レール３３から枝分かれして延びる径路、すなわち、それぞれのぱちんこ機２０や球貸機２１（図１参照）に遊技球を供給するための経路を形成する部材である。
【００６０】
このように、補給レール３３とオーバーフローレール３４は、ぱちんこ機２０よりも上方で遊技球を水平方向（横方向）に搬送するための経路を形成している。
【００６１】
研磨装置３９は、公知のそれと同様のものであり、遊技球を研磨し、付着した汚れを除去する装置である。この研磨装置３９は、遊技機島１の長手方向の略中央となる部分の下部に配されており、研磨した遊技球を近接する揚送装置４０に搬送する機能を有している。
【００６２】
揚送装置４０は、公知のそれと同様のものであり、遊技球を上方へ向けて揚送するための装置である。
【００６３】
これらの構成を備えることにより、遊技機島１では、ぱちんこ機２０への遊技球の供給と、ぱちんこ機２０からの遊技球の回収が可能となっている。
すなわち、島上タンク３２に貯留された遊技球を補給レール３３を介してそれぞれのぱちんこ機２０や球貸機２１へ供給することが可能となっている。また、ぱちんこ機２０から排出された遊技球をアウトレール３８を介して研磨装置３９に導入することが可能となっている。そして、研磨装置３９で研磨された遊技球は、揚送装置４０によって上側へ搬送され、島上タンク３２へと導入されることとなる。すなわち、遊技機島１の内部には、ぱちんこ機２０を経て遊技球が循環するための循環経路が形成されている。
【００６４】
また、その一方、島上タンク３２の貯留量が一定以上となった場合、過剰分の遊技球がオーバーフローレール３４、オーバーフローホース３６を介して貯留部３７の内部に導入される構造となっている。また、ぱちんこ機２０から排出された遊技球もまた、必要に応じて貯留部３７の内部に導入される構造となっている。
つまり、遊技機島１では、遊技球を一時的に貯留可能な貯留部３７を設けることにより、上記した循環経路を流れる遊技球の量を調整可能となっている。
【００６５】
次に、本実施形態で採用する貯留部３７について説明する。
【００６６】
遊技機島１の内部では、図３で示されるように、上方が開放された箱状の貯留部３７が形成されている。そして、この貯留部３７では、側壁部分の一部が腰板１６（腰板部２５０）によって形成されている。
【００６７】
より具体的には、貯留部３７は、図４で示されるように、２つの腰板１６と２つの側壁形成板４５（側壁部）によって側壁部分が形成され、底板４６（底板部）によって底面が形成される箱体となっている。
【００６８】
２つの側壁形成板４５は、いずれも直立した略長方形平板状の部材であり、間隔を空けて対向するように配置されている。ここで、２つの側壁形成板４５は、いずれも２つの腰板１６の間に位置し、これらを連結するように設けられている。つまり、一方の側壁形成板４５が２つの腰板１６を連結するように配されると共に、他方の側壁形成板４５は、この一方の側壁形成板４５から離れた位置で２つの腰板１６を連結するように配されている。言い換えると、２つの側壁形成板４５は、いずれも２つの腰板１６のそれぞれと略直交するように配されている。
【００６９】
つまり、２つの腰板１６が遊技機島１の短手方向で間隔を空けて対向しているのに対し、２つの側壁形成板４５は、遊技機島１の長手方向で間隔を空けて対向している。そして、１つの腰板１６が２つの側壁形成板４５のそれぞれと略直交しており、１つの側壁形成板４５が２つの腰板１６のそれぞれ略直交している。つまり、２つの腰板１６と２つの側壁形成板４５からなる４つの板状部材は、四角環状に連続している。
【００７０】
また、貯留部３７では、２つの腰板１６と２つの側壁形成板４５によって形成される四角環状の部分の下端側が、底板４６によって閉塞されている。
【００７１】
底板４６は、略長方形平板状の部材であり、図５で示されるように、脚部４８によって床面から離れた位置に支持されると共に、傾斜した姿勢となっている。
【００７２】
このとき、図４、図５で示されるように、２つの側壁形成板４５のうちの一方側には、側壁形成板４５を厚さ方向に貫通する貫通孔４９が設けられると共に、アウトレール３８が取り付けられている。より具体的に説明すると、２つの側壁形成板４５は、図３で示されるように、一方が遊技機島１の長手方向を基準として端部よりの位置に配され、他方が中心よりの位置に配されている。そして、遊技機島１の長手方向の中心よりに配された側壁形成板４５に対し、アウトレール３８が取り付けられている。
【００７３】
このとき、底板４６は、図５で示されるように、アウトレール３８が取り付けられた側壁形成板４５に向かうにつれて低くなっていくように、傾斜した姿勢となっている。言い換えると、遊技機島１の長手方向の中心よりに配された側壁形成板４５へ向かうにつれて高さが低くなるように、傾斜している。
なお、本実施形態では、アウトレール３８は、側壁形成板４５の下端近傍であって、底板４６と近接する位置に取り付けられている。
【００７４】
そして、貯留部３７では、図４で示されるように、２つの腰板１６と２つの側壁形成板４５によって囲繞された部分が、遊技球を貯留するための収容空間５０となる。
【００７５】
つまり、本実施形態の遊技機島１は、図６で示されるように、間隔を空けて対向するように配置される２つの腰板１６の間に、遊技球を直接貯留することが可能な構成となっている。このことにより、２つの腰板１６の間に別途製造した島中タンクを配置するような構成に比べ、２つの腰板１６の間隔Ｌを短くすることができる。すなわち、椅子と腰板１６の間に形成される空間５３を広くすることが可能となり、遊技者は、足を伸ばした楽な姿勢で遊技することが可能となる。
【００７６】
また本実施形態の遊技機島１では、２つの腰板部２５０（腰板１６）の一部が遊技球の貯留部３７の一部を兼ねているので、腰板１６には遊技球の重量が掛かる。しかしながら、本実施形態では、腰板１６の底辺部が、支柱部材１０３から水平方向に突出する載置部（突出部）２１７に載置されている。そのため比較的広い受圧面積で腰板１６が支持されており、受圧で圧縮破壊されにくい。そのため腰板部２５０は、遊技球の重量に耐え、外れることはない。
【００７７】
上記した実施形態では、遊技機島１の外壁面を形成する板状部材のうち、２つの腰板１６が貯留部３７の側壁部となる例を示した。しかしながら、本発明はこれに限るものではない。
例えば、２つの腰板１６と妻板１１が貯留部の側壁部となる構成であってもよい。この場合、２つの腰板１６と、妻板１１と、１つの側壁形成板４５を四角環状に連続させ、これらに囲繞される部分を収容空間としてもよい。
つまり、遊技機島の外壁面を形成する板状部材のうちで貯留部の側壁部を兼ねる部材は、腰板１６に限らず、他の板状部材であってもかまわない。加えて、貯留部３７の側壁部を兼ねる板状部材は、２つに限らず、３つであってもよい。１以上の板状部材が貯留部の側壁部を兼ねる構成であればよい。
【００７８】
上記した実施形態では、弾球遊技機であるぱちんこ機２０を設置するための遊技機島１の例を示したが、本発明はこれに限るものではない。例えば、本発明の遊技機島は、回胴式遊技機（スロット機）を設置するためのものでもよい。すなわち、遊技媒体もまた、遊技球に限らず、メダル等であってもよい。遊技機島の外壁面を形成する部分が、遊技媒体を貯留する貯留部の側壁部を兼ねる構成であればよい。
【００７９】
また、上記した実施形態では、２つの腰板１６の間に遊技球を直接貯留したが、腰板１６や側壁形成板４５の内側に薄いシート状の部材を配置してもよい。このことにより、遊技球が収容空間５０の内壁に衝突したときに生じる衝突音を抑制したり、遊技球の収容空間５０からの漏れ出しをより確実に防止したりすることが可能となる。
【００８０】
続いて、本発明の第２実施形態の遊技機島１０１について、図面を参照しつつ詳細に説明する。なお、上記した第１実施形態と同様の部分については、同じ符号を付して説明を省略する。
【００８１】
図１２で示される本実施形態の遊技機島１０１もまた、骨格部材２００（図１２には図示せず）に対して、各種板状部材を組み付けて形成している。この遊技機島１０１は、膳板１５より下方部分の構造が第１実施形態の遊技機島１と異なっている。すなわち第１実施形態の遊技機島１では、腰板部２５０が一枚の腰板１６によって構成されていたのに対し、本実施形態では、腰板部１０６は、より立体的な構造となっている。
第２実施形態の遊技機島１０１で採用する骨格部材２００は、前記した実施形態で採用したものと同一であり、枠状部材２０１を平行に並べて作られたものである。
また枠状部材２０１の構造についても先の実施形態と同一であり、二本の支柱部材１０３が３本の横桟２０２，２０３，２０５で結合されたものである。そして支柱部材１０３には腰板載置台２０６と、幅木取り付け具２０７が取り付けられ、腰板載置台２０６の載置部２１７が支柱部材１０３から突出し、腰板部１０６の下端を支持する。
【００８２】
本実施形態の遊技機島１０１は、膳板１５の下方に位置する部分の壁面を形成する腰板部１０６と、腰板部１０６に一体に固定されるアウトレール部１０７と、底板形成部１０８とを備えた構造となっている。
そして、遊技機島１０１の内部空間のうち、腰板部１０６と底板形成部１０８によって囲まれた部分が遊技球を貯留可能な収容空間１１０となっている。つまり、遊技機島１０１では、妻板１１（図１２では図示せず）、腰板部１０６、研磨装置３９又は中間搬送装置１５５（搬送用設備、図１２では図示せず）、底板形成部１０８によって形成される箱状の部分が貯留部１１１となっている。
【００８３】
腰板部１０６は、図１３で示されるように、膳板１５と下側受板１１３の間に組み付けられた支柱部１１５と、内壁形成板１１６と、化粧板１１７とを備えた構成となっている。
【００８４】
支柱部１１５は、角柱状の部材あって、上下方向で間隔を空けて対向配置される膳板１５と下側受板１１３の間に設けられ、これらと一体に固定されている。すなわち、支柱部１１５の上面は膳板１５の下面と面接触し、支柱部１１５の下面は下側受板１１３の上面と面接触した状態で固定されている。
【００８５】
内壁形成板１１６は、膳板１５、下側受板１１３、支柱部１１５によって形成される構造体に対して内側（図１３では左側）から取り付けられた略長方形平板状の部材であり、腰板部１０６の内側面を形成する部材である。すなわち、内壁形成板１１６の内側面は、図１２で示されるように、遊技機島１０１の内部空間に面しており、貯留部１１１の側壁部分を形成している。
【００８６】
この内壁形成板１１６の内側面には、図１４で示されるように、上下方向で離れた位置に突起取付用溝１２０と、底板取付用溝１２１が設けられている。
この突起取付用溝１２０と底板取付用溝１２１は、外側面に向かって窪んだ溝であり、遊技機島１０１の長手方向に沿って延びている（図１２参照）。
【００８７】
そして、突起取付用溝１２０と底板取付用溝１２１は、長手方向の一端側が他端側が比べて高位置となっている。すなわち、突起取付用溝１２０と底板取付用溝１２１は、図１５で示されるように、斜め方向に延びる溝となっている。
【００８８】
より詳細に説明すると、突起取付用溝１２０と底板取付用溝１２１は、遊技機島１０１の長手方向における端部側から中心側へ向かって下り勾配となるように延びている。換言すると、突起取付用溝１２０と底板取付用溝１２１は、研磨装置３９に向かって下り勾配となるように延びている。
【００８９】
突起取付用溝１２０は、角支柱部材１２３を嵌め込むための溝であり、底板取付用溝１２１は、底板形成部１０８を嵌め込むための溝となっている。
【００９０】
化粧板１１７は、図１３で示されるように、膳板１５、下側受板１１３、支柱部１１５によって形成される構造体に対して外側（図１３では右側）から取り付けられた略長方形平板状の部材である。すなわち、化粧板１１７は、腰板部１０６並びに遊技機島１０１の外側面を形成する部材である。
【００９１】
アウトレール部１０７は、図１６で示されるように、レール本体部１２５と、レール脚部１２６とを備えた部材である。このアウトレール部１０７は、ぱちんこ機２０から排出される遊技球（所謂アウト球）を搬送するための流通路を形成する部材となっている。
【００９２】
レール本体部１２５は、断面形状が略「凹」字状で延びる流路部１２８と、この流路部１２８の上側開放部分を閉塞する蓋部１２９とを有している。
【００９３】
流路部１２８は、幅方向の両端部分にそれぞれ立設された２つの流路側壁部１３１と、この１対の流路側壁部１３１の下側部分同士を繋ぐように設けられた流路底部１３２とが一体に形成されている。流路底部１３２の上面には、複数の溝部１３３が設けられており、この複数の溝部１３３は、流路部１２８の幅方向で所定間隔を空けて並列している。また、いずれの溝部１３３も流路部１２８の長手方向に沿って延びている。
【００９４】
この流路部１２８は、流路底部１３２の上面に流れ込んだ遊技球が、溝部１３３に嵌り込んだ状態で流れていく構造となっている。言い換えると、それぞれの溝部１３３が遊技球を誘導可能な誘導路として機能する構造となっている。
【００９５】
より具体的に説明すると、それぞれの溝部１３３は、断面形状が上下逆とした略台形状となっており、幅方向の最大長さが遊技球の直径と略同一となっている。このことから、それぞれの溝部１３３に遊技球が嵌り込んでいくとき、遊技球が１つの溝部１３３の内側で横並びになることなく、１つずつ順次流れていく構造となっている。このことにより、遊技球が詰まったりすることなく円滑に流れていくこととなる。
【００９６】
蓋部１２９は、流路底部１３２の上方に位置し、流路底部１３２を覆うように固定される部材である。この蓋部１２９には、蓋部１２９を厚さ方向（上下方向）に貫通する遊技球通過孔１３４が複数設けられている。
【００９７】
遊技球通過孔１３４は、蓋部１２９の上側から落下してきた遊技球を流路底部１３２の上面へ導入するための通路となる部分であり、開口径が遊技球の直径よりもやや大きくなっている。
【００９８】
レール脚部１２６は、図１７で示されるように、横倒しした四角柱状の脚部本体１３８と、脚部本体１３８の長手方向の両端部分にそれぞれ形成された取付板部１３９とが一体に形成されている。
【００９９】
取付板部１３９は、直立姿勢をとる板状体であり、詳細には、上側の角部分が丸まった略長方平板状の部分となっている。すなわち、取付板部１３９の上端側の部分は、上方に丸みを帯びて凸となっている。
ここで、取付板部１３９の厚さ方向は、脚部本体１３８の長手方向と同方向となっている。そして、取付板部１３９の内側面における下端側の一部が、脚部本体１３８の端部と一体に連結された状態となっている。このため、取付板部１３９の大部分は、脚部本体１３８の上面より上側に位置している。言い換えると、取付板部１３９の高さは、脚部本体１３８の高さの２倍以上となっている。
【０１００】
底板形成部１０８は、図１８で示されるように、底板本体１４３（底板部）と底板脚部１４４とを有しており、これらが一体となって形成されている。
【０１０１】
底板本体１４３は、略長方形平板状の部材であり、長手方向の一方端が他方端に比べて高位置となっている。すなわち、底板本体１４３の上面は傾斜面となっている。より詳細には、図１５で示されるように、底板形成部１０８の上面は、遊技機島１０１の長手方向における端部側から中心側へ向かって下り勾配となっている。換言すると、底板形成部１０８の上面は、研磨装置３９に向かって下り勾配となっている。
【０１０２】
底板脚部１４４は、底板本体１４３の下面から下方に突出した接地用の突起部であり、底板本体１４３を下方側から支持している。換言すると、底板脚部１４４は、底板本体１４３を床面から離れた位置に支持している。
本実施形態では、底板本体１４３の裏面に２つの底板脚部１４４が取り付けられており、底板本体１４３の長手方向で所定間隔を空けて並列している。そして、一方の底板脚部１４４ａの高さが他方の底板脚部１４４ｂの高さよりも高くなっている。言い換えると、高さの異なる複数の底板脚部１４４が底板本体１４３の長手方向で所定間隔を空けて並列しており、列を構成するそれぞれの底板脚部１４４の高さが、列方向の一方側から他方側に向かうにつれて低くなる。つまり、底板脚部１４４は、高さを基準として降順に並んでいるといえる。
【０１０３】
以上説明した実施形態では、断面が「コ」字状の接続部２１５を備えた腰板載置台２０６を採用し、支柱部材に腰板部１０６の下部を支持する突出部を形成させたが、接続部２１５等の構造は任意である。例えば図２５に示す様に、支柱部材３００に鉄片３０１を直接溶接して突出部３０２を作り、腰板部１０６を支持してもよい。
また以上説明した実施形態では、支柱部材の一方の側面と他方の側面に突出部を設け、腰板部１０６の両端を支持したが、図２６の様に、支柱部材の正面側または裏面側に突出部３０３を設け、腰板部１０６の下部の中央を支持する構造を採用することもできる。
【符号の説明】
【０１０４】
１，１０１    遊技機島
１６    腰板
２０    ぱちんこ機（遊技機）
３７，１１１    貯留部
４５    側壁形成板（側壁部）
４６    底板( 底板部)
５０，１１０    収容空間
１０３    支柱部材
１０６    腰板部
１４７    角管状部材（本体部）
２００    骨格部材
２０１    枠状部材
２０２，２０３，２０５    横桟
２０６    腰板載置台
２０７    幅木取り付け具
２１２    膳板設置部
２１７    載置部（突出部）
２２３    フランジ部
２３１    雌ねじ孔
２４０    補足部材
２４６    枠取付孔
２５０    腰板部
３０２，３０３  突出部
【図１】
2015208490.tif 000003
【図２】
2015208490.tif 000004
【図３】
2015208490.tif 000005
【図４】
2015208490.tif 000006
【図５】
2015208490.tif 000007
【図６】
2015208490.tif 000008
【図７】
2015208490.tif 000009
【図８】
2015208490.tif 000010
【図９】
2015208490.tif 000011
【図１０】
2015208490.tif 000012
【図１１】
2015208490.tif 000013
【図１２】
2015208490.tif 000014
【図１３】
2015208490.tif 000015
【図１４】
2015208490.tif 000016
【図１５】
2015208490.tif 000017
【図１６】
2015208490.tif 000018
【図１７】
2015208490.tif 000019
【図１８】
2015208490.tif 000020
【図１９】
2015208490.tif 000021
【図２０】
2015208490.tif 000022
【図２１】
2015208490.tif 000023
【図２２】
2015208490.tif 000024
【図２３】
2015208490.tif 000025
【図２４】
2015208490.tif 000026
【図２５】
2015208490.tif 000027
【図２６】
2015208490.tif 000028